(57)【要約】 【課題】  設備コストや運転コストがかさむことなく、理美容依頼人が頭部周面の施術を余すところなく確認できる理美容用写像装置を提供すること。【解決手段】  天井２１と所要の空間を配して理美容依頼人の着座する椅子４の正面の壁面１に、正面鏡２を配置して成る理美容設備において、  前記正面鏡２に椅子４を挟んで対面して、連結垂線を連結中心６とする合わせ角度120°の合わせ鏡５を移動保持手段を介して移動自在に配置する。  上記移動保持手段は、壁面１に支持される基体１２と、基体１２に回転式オイルダンパー９を介して上下に揺動自在に軸支されるアーム７とから成るものや、壁面１に平行な姿勢で天井２１に吊り下げられたレール２５と、レール２５に走行自在に案内される吊下体２７とからなるもので提供される。  このほか、吊下体２７に回転式オイルダンパー９を介在させるものもある。【選択図】図１
2007325704.tif 000002
【特許請求の範囲】
【請求項１】
理美容依頼人の正面に正面鏡を配置した理美容設備において、
前記正面鏡に理美容依頼人を挟んで対面して、連結垂線を連結中心とする合わせ角度120°の合わせ鏡を配置して成る理美容用写像装置。
【請求項２】
理美容依頼人の着座する椅子の正面に正面鏡を配置した理美容設備において、
前記正面鏡に椅子を挟んで対面して、連結垂線を連結中心とする合わせ角度120°の合わせ鏡を移動保持手段を介して配置して成る理美容用写像装置。
【請求項３】
前記移動保持手段が、前記壁面に支持される基体と、該基体に上下揺動自在に軸支される所要のアームとから成る請求項２記載の理美容用写像装置。
【請求項４】
前記移動保持手段が、前記壁面と平行に天井から吊り下げられたレールと、該レールに走行自在に案内される吊下体とから成る請求項２記載の理美容用写像装置。
【請求項５】
前記吊下体は、レールの走行路に平行な水平軸を回転軸とする回転式オイルダンパーを介してその下方部が上下揺動自在に軸支されて成る請求項４記載の理美容用写像装置。
【請求項６】
理美容依頼人と正面鏡或いは理美容依頼人と合わせ鏡との間隔を長短に選択自在として成る請求項１及び請求項２記載の理美容用写像装置。
【請求項７】
正面鏡と合わせ鏡を等身大とし、上記両鏡間に理美容依頼人が立位して全身を写像する請求項１及び請求項２の理美容用写像装置。
【発明の詳細な説明】
【技術分野】
【０００１】
本発明は、理美容を受けている理美容依頼人が自分の頭部全周面を目視できる写像装置に関する。
【背景技術】
【０００２】
理美容の写像に関する先行技術として、ミラーのみならずミラー面内に設けられたモニター画面に、カメラで撮影した撮影像を視認できる化粧設備が実開平５−１５８６７号公報（特許文献１）に開示されている。また、美容室等において鏡に代わるスクリーン上へ美容等の依頼人の各面の影像を選択映写する技術が特開２００４−１５０８０号公報（特許文献２）に開示されている。さらに、正面鏡に正対した写体の周面にＵ字形の曲線レールを水平に保持し、左右両側に吊り下げた合わせ鏡（本来の合わせ鏡ではない）を曲線レール上を走行移動及び垂直回転して写体の横姿、後姿を写鏡する周面鏡台が実開昭６４−１０２４４号公報（特許文献３）に開示されている。
特許文献１に開示された化粧設備はカメラやモニターなどのイニシャルコストとランニングコストを要する問題がある。特許文献２に開示された技術もカメラやスクリーン、パソコンなどのイニシャルコストとランニングコストを要する。さらに、特許文献３に開示された合わせ鏡は本来の合わせ鏡の使用ではなく、別々の鏡を正面鏡に合わせて使用したもので、正面像と後頭部からそれぞれ左右の側面にかけての両側面像とを同時に視認できないという問題がある。
【特許文献１】実開平５−１５８６７号公報
【特許文献２】特開２００４−１５０８０号公報
【特許文献３】実開昭６４−１０２４４号公報
【発明の開示】
【発明が解決しようとする課題】
【０００３】
本発明は上記に鑑みて、設備コストや運転コストがかさむことなく、理美容依頼人が頭部全周面の施術を同時に目視確認できる理美容用写像装置を提供しようとするものである。
【課題を解決するための手段】
【０００４】
上記課題を達成する請求項１、２に記載した理美容用写像装置は、照明具を設けた天井と所要の空間をとった理美容依頼人の着座する椅子の正面の壁面に正面鏡を配置した理美容設備において、
前記正面鏡に椅子を挟んで対面して、連結垂線を連結中心とする合わせ角度120°の合わせ鏡を移動保持手段を介して配置して課題の主目的を達成しようとする。
請求項３に記載した理美容用写像装置は、請求項２に記載した理美容用写像装置において、
前記移動保持手段が、前記壁面に支持される基体と、該基体に回転式オイルダンパーを介して上下に揺動自在に軸支される所要のアームとから成る。
請求項４に記載した理美容用写像装置は、請求項２に記載した理美容用写像装置において、
前記移動保持手段が、前記壁面と平行に前記天井から吊り下げられたレールと、該レールに走行自在に案内される吊下体とから成る。
請求項５に記載した理美容用写像装置は、請求項４に記載した理美容用写像装置において、
前記吊下体は、レールの走行路に平行な水平軸を回転軸とする回転式オイルダンパーを介してその下方部が上下揺動自在に軸支されて成る。
請求項６に記載した理美容用写像装置は、請求項１、２に記載した理美容用写像装置において、
理美容依頼人と正面鏡或いは合わせ鏡との間隔を長短とすることにより、写像の局部的拡大化を図るものである。
【発明の効果】
【０００５】
発明によれば、正面鏡に対向する合わせ角度120°の合わせ鏡は、簡易構造の移動保持手段に吊り下げられて頭部後方に位置取りされるから、理美容依頼人は正面像と後頭部から左右の両側面にかけて両側面像とを一挙に視認でき、正視状態で頭部周面を余すところなく確認でき、不要なときは施術者の作業の邪魔にならないように退去できるなど、設備コストや運転コストを低コストに抑えて理美容のサービスを向上できる効果がある。
【発明を実施するための最良の形態】
【０００６】
移動保持手段におけるアームは逆Ｌ形に固定的なものから折曲部でその折曲角度を広狭自在に接合したものも提供される。合わせ鏡とアーム又は吊下体との関係は、固定的なものから合わせ鏡の連結中心に平行な軸線を回転軸として回転位置決め自在なものも提供される。吊下体に回転式オイルダンパーを介在させて合わせ鏡の退去の自由度を広範とすることもできる。
【実施例】
【０００７】
本発明を実施例により説明すると、図１、図２に示すように、壁面1に設けられた正面鏡２に対して理美容依頼人（以下、単に依頼人とする。）３の着座する椅子４を挟んで配設される合わせ鏡５は、合わせ角度120°でその連結垂線を連結中心６とし、連結中心６を通る中心面に椅子４の中心を合致させて配置される。この中心面上に移動保持手段としての逆Ｌ形のアーム７の中心を合致させて配置し、アーム７の水平部８の右端部を壁面１と平行な水平軸を回転軸とする回転式オイルダンパー９の回転部１０に接合し、回転式オイルダンパー９の支持部１１を基体１２に接合し、基体１２を壁面１に固定する。アーム７の垂直部１３の上端１３aは水平部８の左端部の二股８aに嵌着されてボルト８bと蝶ナット８cで折曲角度広狭自在に接合され、その下端に合わせ鏡５の連結中心６の上端を接合し、合わせ鏡５の外面所要部に昇降用突起１４を取着して成る。
【０００８】
このようにして成る理美容用写像装置Ａは、依頼人３の頭部１７の中心後方所要位置に連結中心６を合致させて合わせ鏡５が構えられ、仮想線で示すように昇降棒１５のリング１６を昇降用突起１４に係着して合わせ鏡５が押し上げられ、その姿勢が回転式オイルダンパー９で保持されて施術者の作業に支障とならない位置に止められる。施術中及び後で昇降棒１５により合わせ鏡５を降下させることにより正面鏡２に依頼人３の正面像１８と、正規の位置に降ろされた合わせ鏡５の虚像１９による後頭部から左右の側面にかけての両側面像２０が写像される。したがって、依頼人３は目を左右に動かしたり、頭部１７を横に振るなどの動作を強いられることなく、頭部全体を一挙に目視確認できる。上記の写像現象は合わせ鏡５の合わせ角度１２０°による光学的作用で、図２中の１点鎖線で示す。
【０００９】
図３にした理美容用写像装置Ｂは、壁面１と平行な要所で天井２１に取着された吊下棒２２の下端の中央下部に開口部２３を配設し、開口部２３の両側にそれぞれ縦断面コ形に対向する案内部２４が形成されたレール２５が垂下され、レール２５には案内部２４に案内されるコロ２６を両面に水平軸を回転中心にして軸支する吊下体２７が開口部２３から垂設され、吊下体２７の下端にはレール２５の走行路に平行な水平軸を回転軸とする回転式オイルダンパー９を接合し、該ダンパー９の回転部１０に下部吊下体２８を接合し、下部吊下体２８の下端に合わせ鏡５をその連結中心６の上端で接合し、合わせ鏡５の外面所要部に昇降用突起１４を取着して成る。
【００１０】
このようにして成る理美容用写像装置Ｂは、頭部１７の施術時には、レール２５に案内された吊下体２７を介して合わせ鏡５が施術者の作業の邪魔にならない位置に寄せられ、或いは矢印に示すように合わせ鏡５を上方に退去させ、施術後は合わせ鏡５を依頼人３の頭部１７の中心にその連結中心６を合致させて構えることにより、依頼人３は正面鏡２に図２に示したと同様に、自身の正面像１８と合わせ鏡５の虚像１９による後頭部から左右の側面にかけての両側面像２０とを目視できる。
【００１１】
このほか、図４（ａ）に示すように、逆Ｌ形のアーム７の垂直部１３の下端又は吊下体２７（或いは下部吊下体２８）の下端と合わせ鏡５の連結中心６の上端間には回転部２９を設けて合わせ鏡５を頭部１７の左右に揺動することによって、その各側面を合わせ鏡５により直接間近に目視できるようにしたものも提供される。すなわち、この回転部２９は分図（b）に示すように、合わせ鏡５の鏡面体３０を収めた枠体３１の上部で連結中心６に回転軸心を一致させた回転盤３２を螺設して回り止めし、回転盤３２にはその外径より小径の小径部３２aが立設され、小径部３２aには直径方向に２個所小孔３２bが所要深さに対設され、小孔３２bにはそれぞれスプリング３２cが収められ、各スプリング３２cの上端にボール３２dが載置され、小孔部３２aの外周には横溝３２eが周設され、一方、前記垂直部１３の下端又は吊下体２７（或いは下部吊下体２８）の下端に螺設され、抜け止めされた基盤３３には小径部２３aに外嵌する内径の凹部３３aが凹設され、その内面頂部には前記一対のボール３２dの球面を嵌入させる浅い球面溝３３bを複数個所に対設し、外周には前記横溝３２eに位相を合わせたピン孔３３cを横方向に対向して貫設し、基盤３３の凹部３３aを回転盤３２の小径部３２aに外嵌し、ボール３２dがその球面を球面溝３３bに嵌入した状態でピン孔３３cにピン３３dを嵌入し、その先端を横溝３２eに嵌入して抜け止めされ、所要の分割位相（30°乃至40°）で回転位置決め自在に接合される。
【００１２】
上記実施例の照明は、一般的に人物の頭上の電気照明であるが、側方或いは下側方からの照明によって髪の切り揃え等を明瞭にすることができる。
また、正面鏡２と依頼人３或いは合わせ鏡５と依頼人３との距離を変えることによって写像の大きさを局部的に変えて美容上の途中経過や納得のゆく注文をし満足感を与えることができる。
なお、本発明の合わせ鏡の角度120°とは、合わせ鏡の連結中心に後頭部の中央を合致させた状態において、後頭部中央から両側面にかけての左右の虚像を投影できる120°及びその前後の角度を含むものである。
【産業上の利用可能性】
【００１３】
本発明は、理美容業界以外に、正面鏡２と合わせ鏡５とを等身大とし両鏡間に立つことによりアパレル業界での試着室や仮縫室などに利用できるから、その需要は大いに期待される。
【図面の簡単な説明】
【００１４】
【図１】本発明に係る理美容用写像装置Ａの説明図。
【図２】図１の平面図。
【図３】本発明の他の実施態様における理美容用写像装置Ｂの説明図。
【図４】合わせ鏡５の回転部２９の説明図で、（ａ）はその外観図、（ｂ）は要部の部分拡大縦断面図。
【符号の説明】
【００１５】
１：壁面
２：正面鏡
３：理美容依頼人
４：椅子
５：合わせ鏡
６：連結中心
７：アーム
８：水平部
８a：二股
８b：ボルト
８c：蝶ナット
９：回転式オイルダンパー
１０：回転部
１１：支持部
１２：基体
１３：垂直部
１３a：上端
１４：昇降用突起
１５：昇降棒
１６：リング
１７：頭部
１８：正面像
１９：虚像
２０：側面像
２１：天井
２２：吊下棒
２３：開口部
２４：案内部
２５：レール
２６：コロ
２７：吊下体
２８：下部吊下体
２９：回転部
３０：鏡面体
３１：枠体
３２：回転盤
３２a：小径部
３２b：小孔
３２c：スプリング
３２d：ボール
３２e：横溝
３３：基盤
３３a：凹部
３３b：球面溝
３３c：ピン孔
３３d：ピン
Ａ乃至Ｂ：理美容用写像装置
【図１】
2007325704.tif 000003
【図２】
2007325704.tif 000004
【図３】
2007325704.tif 000005
【図４】
2007325704.tif 000006